【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
（ａ）少なくとも１個のフリーラジカル重合性化合物、あるいは
（ｂ）酸の作用下で、重合反応、重縮合反応、または重付加反応を開始することができる少なくとも１個の化合物、あるいは
（ｃ）塩基の作用下で、重合反応、重縮合反応、または重付加反応を開始することができる少なくとも１個の化合物、あるいは
成分（ａ）および成分（ｂ）の混合物、または
成分（ａ）および成分（ｃ）の混合物、ならびに
（ｄ）プラズマ放電により活性化可能な少なくとも１個の光潜在性化合物、
を含む組成物を硬化する方法であって、
組成物が、三次元基材へ適用され、そして
硬化が、プラズマ放電室で行なわれる方法。
【請求項２】
（ａ）少なくとも１個のフリーラジカル重合性化合物、あるいは
（ｂ）酸の作用下で、重合反応、重縮合反応、または重付加反応を開始することができる少なくとも１個の化合物、あるいは
（ｃ）塩基の作用下で、重合反応、重縮合反応、または重付加反応を開始することができる少なくとも１個の化合物、あるいは
成分（ａ）および成分（ｂ）の混合物、または
成分（ａ）および成分（ｃ）の混合物、
（ｄ）プラズマ放電により活性化可能な少なくとも１個の光潜在性化合物、ならびに
（ｅ）少なくとも１個の光安定剤化合物または紫外線吸収剤化合物、
を含む組成物を硬化する方法であって、
硬化がプラズマ放電室で行われる方法。
【請求項３】
組成物中の成分（ｄ）が、フリーラジカル光開始剤、光潜在性酸または光潜在性塩基である、請求項１または２のいずれか１項記載の方法。
【請求項４】
組成物中の成分（ｄ）が、式Ｉ、ＩＩ、ＩＩＩまたは／およびＩＶ
【化１】
2005523803.tif 000001
（式中、
Ｒ1は、Ｃ1〜Ｃ12アルキルまたはＣ1〜Ｃ12アルコキシであり、
Ｒ2は、フェニル、ＯＲ5またはＮＲ7Ｒ8であり、
Ｒ3は、Ｒ1に対して与えられた定義の１つを有するか、またはＣ3〜Ｃ12アルケニル、フェニル−Ｃ1〜Ｃ6アルキルもしくはＣ1〜Ｃ6アルキルフェニル−Ｃ1〜Ｃ6アルキルであるか、
あるいはＲ1およびＲ3は、それらが結合する炭素原子と一緒になって、シクロヘキシル環を形成し、
Ｒ2は、Ｒ1およびＲ3が両方ともアルコキシである場合、フェニルであり、
Ｒ4およびＲ4ａは、それぞれ互いに独立して、水素、Ｃ1〜Ｃ12アルキル、Ｃ1〜Ｃ12ヒドロキシアルキル、ＯＲ5、ＳＲ6、ＮＲ7Ｒ8、ハロゲン、
【化２】
2005523803.tif 000002
、または一価の直鎖もしくは分岐したシロキサンラジカルであり、
ｎは、１〜１０の数であり、
Ｒ5およびＲ6は、それぞれ互いに独立して、水素、Ｃ1〜Ｃ12アルキル、Ｃ1〜Ｃ12アルケニル、フェニル、ベンジル、Ｓｉ（ＣＨ3）3または−［ＣａＨ2ａＸ］ｂ−Ｒ10であり、
Ｒ7およびＲ8は、それぞれ互いに独立して、水素、Ｃ1〜Ｃ12アルキル、またはＣ2〜Ｃ5ヒドロキシアルキルであるか、あるいはＲ7およびＲ8は、それらが結合するＮ原子と一緒になって、５−または６−員環を形成し、ここで、それはまた、Ｏ原子またはＮＲ11基を含有していてもよく、
Ｒ9は、単結合、Ｏ、Ｓ、ＮＲ11、−ＣＨ2ＣＨ2−または
【化３】
2005523803.tif 000003
であり、
ａおよびｂは、それぞれ互いに独立して、１〜１２の数であり、
Ｘは、Ｓ、ＯまたはＮＲ11であり、
Ｒ10は、水素、Ｃ1〜Ｃ12アルキル、または
【化４】
2005523803.tif 000004
であり、
Ｒ11は、水素、フェニル、フェニル−Ｃ1〜Ｃ4アルキル、Ｃ1〜Ｃ12アルキルまたはＣ2〜Ｃ5ヒドロキシアルキルであり、そして
Ｒ12、Ｒ13およびＲ14は、それぞれ互いに独立して、水素またはメチルである）、
【化５】
2005523803.tif 000005
（式中、
Ｒ15およびＲ16は、それぞれ互いに独立して、Ｃ1〜Ｃ12アルキル、Ｃ1〜Ｃ12アルコキシ、非置換またはＯＲ22、ＳＲ23、ＮＲ24Ｒ25、Ｃ1〜Ｃ12アルキルもしくはハロゲン置換基の一つ以上によって置換されているフェニルであるか、あるいは
Ｒ15およびＲ16は、ビフェニルイル、ナフチル、フェニル−Ｃ1〜Ｃ4アルキルまたは
【化６】
2005523803.tif 000006
であり、
Ｒ17およびＲ18は、それぞれ互いに独立して、Ｃ1〜Ｃ12アルキル、Ｃ1〜Ｃ12アルコキシ、ＣＦ3またはハロゲンであり、
Ｒ19、Ｒ20およびＲ21は、それぞれ互いに独立して、水素、Ｃ1〜Ｃ12アルキル、Ｃ1〜Ｃ12アルコキシ、ＣＦ3またはハロゲンであり、
Ｒ22、Ｒ23、Ｒ24およびＲ25は、それぞれ互いに独立して、水素、Ｃ1〜Ｃ12アルキル、Ｃ2〜Ｃ12アルケニル、Ｃ3〜Ｃ8シクロアルキル、フェニル、ベンジル、またはＯ原子によって中断され、そして非置換もしくはＯＨまたは／およびＳＨによって置換されているＣ2〜Ｃ20アルキルであるか、あるいはＲ24およびＲ25は、それらが結合するＮ原子と一緒になって、５−または６−員環を形成し、ここで、それはまた、Ｏ原子またはＳ原子またはＮＲ26基を含有していてもよく、そして
Ｒ26は、水素、フェニル、フェニル−Ｃ1〜Ｃ4アルキル、Ｃ1〜Ｃ12アルコキシ、Ｃ1〜Ｃ12アルキルまたはＣ1〜Ｃ12ヒドロキシアルキルである）、
【化７】
2005523803.tif 000007
（式中、
Ｒ27、Ｒ28、Ｒ29、Ｒ30、Ｒ31およびＲ32は、それぞれ互いに独立して、水素、Ｃ1〜Ｃ4アルキル、フェニル、ナフチル、−ＯＲ35、−ＳＲ35、−（ＣＯ）Ｏ（Ｃ1〜Ｃ4アルキル）、ハロゲン、ＮＲ33Ｒ34または一価の直鎖もしくは分岐したシロキサンラジカルであるか、あるいはＲ29およびＲ30は、それぞれカルボニル基に対してｏ−位置に存在して、一緒になってＳ原子を形成しており、そして
Ｒ33およびＲ34は、それぞれ互いに独立して、水素、Ｃ1〜Ｃ4アルキル、Ｃ2〜Ｃ6ヒドロキシアルキルであるか、あるいは
Ｒ33およびＲ34は、それらが結合するＮ原子と一緒になって、５−または６−員環を形成しており、ここで、それはまた、Ｏ原子またはＮＲ11基を含有していてもよく、そして
Ｒ35は、Ｃ1〜Ｃ12アルキル、Ｃ2〜Ｃ6ヒドロキシアルキル、またはフェニルである）、
【化８】
2005523803.tif 000008
（式中、
Ｒ36、Ｒ37、Ｒ38、Ｒ39およびＲ40は、それぞれ互いに独立して、水素、非置換もしくはＯＨ、Ｃ1〜Ｃ4アルコキシ、フェニル、ナフチル、ハロゲン、ＣＮによって、および／または−ＯＣＯＲ41によって、置換されているＣ1〜Ｃ12アルキル、または一つ以上のＯ原子によって中断されているＣ2〜Ｃ12アルキルであるか、あるいはＲ36、Ｒ37、Ｒ38、Ｒ39およびＲ40は、ＯＲ42、ＳＲ43、ＮＲ44Ｒ45、ハロゲン、一価の直鎖もしくは分岐したシロキサンラジカル、または非置換もしくは１もしくは２個のＣ1〜Ｃ4アルキルまたは／および１もしくは２個のＣ1〜Ｃ4アルコキシ置換基によって置換されているフェニルであり、置換基ＯＲ42、ＳＲ43、ＮＲ44Ｒ45は、フェニル環上のさらなる置換基と一緒になって、もしくはフェニル環の炭素原子の１個と一緒になって、ラジカルＲ42、Ｒ43、Ｒ44および／またはＲ45を介して５−もしくは６−員環を形成することが可能であり、
Ｒ41は、Ｃ1〜Ｃ8アルキル、または非置換もしくは１〜３個のＣ1〜Ｃ4アルキル、および／または１〜３個のＣ1〜Ｃ4アルコキシ置換基によって置換されているフェニルであり、
Ｒ42およびＲ43は、それぞれ互いに独立して、水素、非置換もしくはＯＨ、Ｃ1〜Ｃ4アルコキシ、フェニル、フェノキシによって、または／および−ＯＣＯＲ41によって、置換されているＣ1〜Ｃ12アルキル、または一個以上のＯ原子によって中断されているＣ2〜Ｃ12アルキルであるか、あるいはＲ42およびＲ43は、非置換もしくはＣ1〜Ｃ4アルコキシ、フェニルによって、または／およびＣ1〜Ｃ4アルキルによって、置換されているフェニルであるか、あるいはＲ42およびＲ43は、Ｃ3〜Ｃ6アルケニル、シクロペンチル、シクロヘキシルまたはナフチルであり、
Ｒ44およびＲ45は、それぞれ互いに独立して、水素、非置換もしくはＯＨ、Ｃ1〜Ｃ4アルコキシによって、または／およびフェニルによって、置換されているＣ1〜Ｃ12アルキル、または１個以上のＯ原子によって中断されているＣ2〜Ｃ12アルキルであるか、あるいはＲ44およびＲ45は、フェニル、−ＣＯＲ41またはＳＯ2Ｒ46であるか、あるいはＲ44およびＲ45は、それらが結合するＮ原子と一緒になって、５−、６−または７−員環を形成し、ここで、それらはまた、−Ｏ−または−ＮＲ47−によって中断されていてもよく、
Ｒ46は、Ｃ1〜Ｃ12アルキル、フェニルまたは４−メチルフェニルであり、
Ｒ47は、水素、非置換もしくはＯＨによって、もしくはＣ1〜Ｃ4アルコキシによって、置換されているＣ1〜Ｃ8アルキルであるか、または非置換もしくはＯＨ、Ｃ1〜Ｃ4アルキルによって、もしくはＣ1〜Ｃ4アルコキシによって、置換されているフェニルであり、
Ｙは、
【化９】
2005523803.tif 000009
、Ｃ1〜Ｃ20アルキル、フェニル、ナフチル、フェニル−Ｃ1〜Ｃ4アルキル、または一価の直鎖もしくは分岐したシロキサンラジカルであり、
Ｙ1は、Ｃ1〜Ｃ12アルキレン、Ｃ4〜Ｃ8アルケニレン、Ｃ4〜Ｃ8アルキニレン、シクロヘキシレン、１個以上の−Ｏ−、−Ｓ−もしくは−ＮＲ48−によって中断されているＣ4〜Ｃ40アルキレンであるか、またはフェニレンであるか、あるいはＹ1は、基
【化１０】
2005523803.tif 000010
、または二価の直鎖もしくは分岐したシロキサンラジカルであり、
Ｙ2は、式−ＣＨ2ＣＨ（ＯＨ）ＣＨ2Ｏ−Ｙ2−ＯＣＨ2ＣＨ（ＯＨ）ＣＨ2−の他はＹ1と同一の定義を有しており、
Ｒ48は、水素、Ｃ1〜Ｃ12アルキルまたはフェニルであり、そして
Ｒ49は、水素、ＣＨ2ＯＨまたはＣ1〜Ｃ4アルキルである）
の少なくとも１個の化合物である、請求項１または２のいずれか１項記載の方法。
【請求項５】
組成物中の成分（ｄ）が、式Ｖ、ＶＩ、ＶＩＩまたは／およびＶＩＩａ
【化１１】
2005523803.tif 000011
（式中、
Ｒ50およびＲ51は、それぞれ互いに独立して、水素、Ｃ1〜Ｃ20アルキル、Ｃ1〜Ｃ20アルコキシ、ＯＨ−置換Ｃ1〜Ｃ20アルコキシ、ハロゲン、Ｃ2〜Ｃ12アルケニル、シクロアルキル、特に、メチル、イソプロピル、またはイソブチルであり、そして
Ｚは、アニオン、特に
【化１２】
2005523803.tif 000012
である）、
【化１３】
2005523803.tif 000013
（式中、
Ｒ52、Ｒ53およびＲ54は、それぞれ互いに独立して、非置換のフェニルまたは−Ｓ−フェニルによって、もしくは
【化１４】
2005523803.tif 000014
によって、置換されているフェニルであり、
Ｚは、上記で定義されたとおりである）、
【化１５】
2005523803.tif 000015
（式中、
Ｒ55は、
【化１６】
2005523803.tif 000016
、（ＣＯ）Ｏ−Ｃ1〜Ｃ4アルキル、ＣＮまたはＣ1〜Ｃ12ハロアルキルであり、
Ｒ56は、Ｒ55に対して与えられた定義の１つを有するか、または
【化１７】
2005523803.tif 000017
であり、
Ｒ57は、Ｃ1〜Ｃ18アルキルスルホニル、Ｃ1〜Ｃ10ハロアルキルスルホニル、カンホリルスルホニル、フェニル−Ｃ1〜Ｃ3アルキルスルホニル、Ｃ3〜Ｃ30シクロアルキルスルホニル、フェニルスルホニル、ナフチルスルホニル、アントラシルスルホニルまたはフェナントリルスルホニルであり、ラジカルＣ3〜Ｃ30シクロアルキルスルホニル、フェニル−Ｃ1〜Ｃ3アルキル−スルホニル、フェニルスルホニル、ナフチルスルホニル、アントラシルスルホニルおよびフェナントリルスルホニルの基シクロアルキル、フェニル、ナフチル、アントラシルおよびフェナントリルは、非置換であるか、ハロゲン、Ｃ1〜Ｃ4ハロアルキル、ＣＮ、ＮＯ2、Ｃ1〜Ｃ16アルキル、フェニル、Ｃ1〜Ｃ4アルキルチオ、Ｃ1〜Ｃ4アルコキシ、フェノキシ、Ｃ1〜Ｃ4アルキル−Ｏ（ＣＯ）−、Ｃ1〜Ｃ4アルキル−（ＣＯ）Ｏ−、Ｒ67ＯＳＯ2−および／または−ＮＲ60Ｒ61置換基の１個以上によって置換されているか、あるいは
Ｒ57は、Ｃ2〜Ｃ6ハロアルカノイル、ハロベンゾイル、
【化１８】
2005523803.tif 000018
（ここでＸ1、Ｘ2およびＸ3は、それぞれ互いに独立して、ＯまたはＳであり、
ｑは、０または２である）であり、
Ｒ58は、Ｃ1〜Ｃ12アルキル、シクロヘキシル、カンホリル、非置換フェニルまたはハロゲン、Ｃ1〜Ｃ12アルキル、ＯＲ59、ＳＲ59もしくはＮＲ60Ｒ61置換基の１個以上によって置換されているフェニルであり、
Ｒ59は、Ｃ1〜Ｃ12アルキル、フェニル、フェニル−Ｃ1〜Ｃ4アルキルまたはＣ1〜Ｃ12ヒドロキシアルキルであり、
Ｒ60およびＲ61は、それぞれ互いに独立して、水素、Ｃ1〜Ｃ4アルキル、Ｃ2〜Ｃ6ヒドロキシアルキルであるか、あるいは
Ｒ60およびＲ61は、それらが結合するＮ原子と一緒になって、５−または６−員環を形成し、ここで、それはまた、Ｏ原子またはＮＲ62基を含有していてもよく、
Ｒ62は、水素、フェニル、フェニル−Ｃ1〜Ｃ4アルキル、Ｃ1〜Ｃ12アルキルまたはＣ2〜Ｃ5ヒドロキシアルキルであり、
Ｒ63、Ｒ64、Ｒ65およびＲ66は、それぞれ互いに独立して、Ｃ1〜Ｃ6アルキル、Ｃ1〜Ｃ6ハロアルキル、あるいは非置換のまたはＣ1〜Ｃ4アルキルによって、もしくはハロゲンによって、置換されているフェニルであり、そして
Ｒ67は、水素、Ｃ1〜Ｃ4アルキル、フェニルまたはトリルである）
の少なくとも１個の化合物である、請求項１または２のいずれか１項記載の方法。
【請求項６】
組成物中の成分（ｄ）が、式ＶＩＩＩ
【化１９】
2005523803.tif 000019
（式中、
ｒは、０または１であり、
Ｘ4は、ＣＨ2またはＯであり、
Ｒ68およびＲ69は、それぞれ互いに独立して、水素またはＣ1〜Ｃ20アルキルであり、そして
Ｒ70は、非置換であるか、またはＣ1〜Ｃ12アルキル−またはＣ1〜Ｃ12アルコキシ−置換フェニル、ナフチルもしくはビフェニルイルである）
の少なくとも１個の化合物である、請求項１または２のいずれか１項記載の方法。
【請求項７】
組成物が、光潜在性成分（ｄ）に加えて、他の添加剤（ｈ）、増感剤化合物（ｆ）または／および染料もしくは顔料（ｇ）を含む、請求項１または２のいずれか１項記載の方法。
【請求項８】
請求項１または２のいずれか１項記載の方法により、少なくとも一つの面上を被覆された被覆基材。
【請求項９】
請求項１または２のいずれか１項記載の方法により入手可能な被覆。
【請求項１０】
（１）少なくとも１個の電子受容体化合物、特にマレイミド化合物と、少なくとも１個の電子供与体化合物、特にビニルエーテル化合物との組み合わせ、および
（２）場合により少なくとも１個のフリーラジカル重合性化合物（ａ）
を含む組成物を硬化する方法であって、硬化がプラズマ放電室で行われる方法。
【請求項１１】
（ａ）場合により付加的にＯＨ、ＮＨ2、ＣＯＯＨ、エポキシまたはＮＣＯ基で官能化される、少なくとも１個のエチレン性不飽和二重結合を有する、少なくとも１個のフリーラジカル重合性成分、および
（ａ１）メラミンと、もしくはメラミン誘導体と組み合わせた、またはブロック化もしくは非ブロック化ポリイソシナートと組み合わせた少なくとも１個のポリアクリラートまたは／およびポリエステルポリオール、あるいは
（ａ２）エポキシ官能性ポリエステルまたはポリアクリラートと組み合わせた少なくとも１個のカルボキシル−、無水物−もしくはアミノ−官能性ポリエステルまたは／および少なくとも１個のカルボキシル−、無水物−もしくはアミノ−官能性ポリアクリラート、あるいは
（ａ３）（ａ１）と（ａ２）の混合物、
（ｄ）プラズマ放電により活性化可能な少なくとも１個の光潜在性化合物、
を含む組成物を硬化する方法であって、組成物の硬化がプラズマ放電室で行われ、場合により、熱的前または後処理が行われる方法。
【請求項１２】
複合材料から成形品を製造する方法であって、支持体が、
（ａ）少なくとも１個のフリーラジカル重合性化合物、あるいは
（ｂ）酸の作用下で、重合反応、重縮合反応、または重付加反応を開始することができる少なくとも１個の化合物、あるいは
（ｃ）塩基の作用下で、重合反応、重縮合反応、または重付加反応を開始することができる少なくとも１個の化合物、あるいは
成分（ａ）および成分（ｂ）の混合物、または
成分（ａ）および成分（ｃ）の混合物、ならびに
（ｄ）プラズマ放電により活性化可能な少なくとも１個の光潜在性化合物、
を含む組成物で含浸され、そして型に導入され；
硬化がプラズマ放電室で行われ、そして場合により、熱後処理が行われる方法。